(57)【要約】【課題】本考案は、ネオン管１本の全長を１，５００ｍｍ以下にし設置工事と期間の削減及び保守．点検の簡素化をするものである。【解決手段】本考案は、ネオン管１本の全長を１，５００ｍｍ以下にすることによりネオン管用高周波インバーターを使用してネオン管を１０００Ｖ以下で放電させることが可能になり、さらに予めネオン管を一定の寸法に加工してユニット化することによりネオン管設置工事費と工事期間を減らすことが可能になるうえ、光の三原色であるＲＧＢ（赤色、緑色、青色）のネオン管を自由に組合し、変幻自在のネオン広告及びディスプレーの設置と製作が可能になる。【選択図】　図１
0003097953.tif 000002
【実用新案登録請求の範囲】
【請求項１】
ネオン管１本の全長を１，５００ｍｍ以下にすることによりネオン管用高周波インバーターを使用してネオン管を１０００Ｖ以下で放電させることが可能になり、さらに予めネオン管を一定の寸法に加工してユニット化することによりネオン管設置工事費と工事期間を減らすことが可能になるうえ、光の三原色であるＲＧＢ（赤色、緑色、青色）のネオン管を自由に組合し、変幻自在のネオン広告及びディスプレーの設置と製作が可能になることを特徴する、冷陰極管を使用したネオン管ユニット化による設置方法。
【考案の詳細な説明】
【０００１】
【考案の属する技術分野】
本考案は、冷陰極管を使用したネオン管ユニット化による設置方法に関するものである。
【０００２】
【従来の技術】
従来、ネオン管の全長は数メートルから数十メートルまでのものが使用されており、ネオン管を放電させるには、ＡＣ３ＫＶから１５ＫＶまでの高圧電圧が使用されている。その為ネオン管設置工事は、特種電気工事資格者が行なっているうえ、設置現場でのネオン管の加工作業が必要になり設置工事と保守．点検に多くの時間と費用が必要であるばかりでなく破損に対する危険度が大きい。
【０００３】
【考案が解決しようとする課題】
ネオン設置工事は、建設物の屋上や壁などに設置される場合が多く、ネオン広告の設置には、多くの経費と期間削減や保守点検の為の簡易さが求められている。特に高圧電圧に対する高額な安全対策用部品が多く使用されているため工事経費が問題になっている。従ってネオン管を低電圧で放電させる事が出来れば安全に作業する事とユニット化が可能になり、保守．点検作業の簡略化及び工事経費と納期の削減が可能になり、前述の欠点を解決しようとするものである。
【０００４】
【課題を解決するための手段】
本考案は、ネオン管１本の全長を１，５００ｍｍ以下にすることによりネオン管用高周波インバーターを使用して１，０００Ｖ以下で放電することが可能になり、さらに予めネオン管を一定の寸法に加工してユニット化することによりネオン管設置工事の経費と期間の削減及びネオン管の設置方法と保守点検が簡素化になるため、ネオン管を色別に自由に組合することが容易になり、色彩豊かなネオン広告やディスプレーを製作することが可能になる。さらにネオン管設置工事は、第二種電気工事資格者でも可能になり問題点を解決している。
【０００５】
【考案の実施の形態】
以下、本考案の実施の形態について説明する。
ａ．添付図面１は、ネオン管のユニット化による設置方法の一実施例である。
ｂ．ネオン管１本の全長を１，５００ｍｍ以下とする。
ｃ．ネオン変圧器の電源は、家庭用単相ＡＣ１００ＶもしくはＡＣ２００Ｖを使用する。
ｄ．ネオン変圧器の１次側入力は、ＡＣ１００Ｖで２次側出力は、高周波電圧１０００Ｖ以下である。
ｅ．低圧電源の為、ネオン変圧は、複数のネオン管の点減を同時に調整出来る。
ｆ．ネオン管１本の全長が１，５００ｍｍ以下のため予め図面にしたがって加工しユニット化することが可能になり、設置現場でのネオン管の加工が不要になる。
ｇ．ネオン管のユニット化により搬送時の破損防止や運送経費が低くなる。
ｈ．ネオン管の放電電圧が低い為、複数のネオン管を近間隔で設置することが可能である。
【考案の効果】
ネオン管１本の全長を１，５００ｍｍ以下にする事によりネオン管用高周波数インバーターを使用して１０００Ｖ以下で放電する事が可能になり、ネオン管を予め図面等に従がって加工することによりユニット化が達成され、ネオン管広告やディスプレーのデザイン、設置、保守．点検が容易になりさらに設置工事費の削減、工事期間の短縮などの効果がある。
【図面の簡単な説明】
【図１】本考案のネオン管ユニット化による設置方法の一実施例を示す正面図である。
【符号の説明】
１　ネオン管（全長が１，５００ｍｍ以下）
２　ネオン変圧器
３　ネオン点減調光器
４　ネオン管支持器
【図１】
0003097953.tif 000003
【手続補正書】
【提出日】平成15年2月7日(2003.2.7)
【手続補正２】
【補正対象書類名】明細書
【補正対象項目名】実用新案登録請求の範囲
【補正方法】変更
【補正の内容】
【実用新案登録請求の範囲】
【請求項１】
ネオン管１本の全長を１，５００ｍｍ以下にすることによりネオン管用高周波インバーターを使用してネオン管を１０００Ｖ以下で放電させることが可能になり、さらに予めネオン管を一定の寸法に加工してユニット化することにより、光の三原色であるＲＧＢ（赤色、緑色、青色）のネオン管を自由に組合し、変幻自在のネオン広告及びディスプレーの設置と製作が可能になることを特徴する、冷陰極管を使用したネオン管ユニット。
【手続補正３】
【補正対象書類名】明細書
【補正対象項目名】考案の属する技術分野
【補正方法】変更
【補正の内容】
【考案の属する技術分野】
本考案は、冷陰極管を使用したネオン管ユニットに関するものである。


【手続補正４】
【補正対象書類名】明細書
【補正対象項目名】考案の実施の形態
【補正方法】変更
【補正の内容】
【考案の実施の形態】
ａ、添付図面１、２、３、は、ネオン管ユニットの一実施例である。


【手続補正５】
【補正対象書類名】図面
【補正対象項目名】〔図２〕〔図３〕
【補正方法】追加
【補正の内容】
0003097953.tif 000004
【手続補正書】
【提出日】平成15年6月14日(2003.6.14)
【手続補正１】
【補正対象書類名】明細書
【補正対象項目名】実用新案登録請求の範囲
【補正方法】変更
【補正の内容】
【実用新案登録請求の範囲】
【請求項１】
ネオン管１本の全長を１，５００ｍｍ以下にして、当該ネオン管をネオン管支持器に固定し、当該ネオン管を１０００Ｖ以下で放電させるためのネオン変圧器に接続し、さらにネオン変圧器をネオン点減調光器に接続すると、ネオン管が低電圧で放電することになり、ネオン管のＲ．Ｇ．Ｂを自由に組合することが出来ることを特徴とするネオン管ユニット。
【手続補正２】
【補正対象書類名】明細書
【補正対象項目名】０００１
【補正方法】変更
【補正の内容】
【０００１】
【考案の属する技術分野】
本考案は、冷陰ネオン管を使用したネオン管ユニットに関するものである。


【手続補正３】
【補正対象書類名】明細書
【補正対象項目名】０００５
【補正方法】変更
【補正の内容】
【０００５】
【考案の実施の形態】
イ．ネオン管１１本の全長を１，５００ｍｍ以下とする。
ロ．ネオン管１は、ネオン管支持器４に取付器具により固定される。
ハ．ネオン管支持器４は、壁、柱に固定する。
ニ．ネオン管１とネオン変圧器２の２次側は、コードで接続される。
ホ．ネオン変圧器２の１次側は、ネオン点減調光器３と接続しており電力は、ネオン点減調光器３より得ている。
ヘ．ネオン変圧器２の１次側入力ＡＣ１００Ｖもしくは、ＡＣ２００Ｖで２次側出力は、高周波電圧１０００Ｖ以下である。
ト．ネオン点減調光器３は、複数のネオン管１の点減を同時に調節する。
チ．ネオン点減調光器３はＡＣ１００Ｖもしくは、ＡＣ２００Ｖで作動し電力は、家庭用コンセントより供給される。
リ．ネオン管１１本の全長が１，５００ｍｍ以下の為予め図面にしたがって加工しネオン管ユニットを構成する。
ヌ．ネオン管１の放電電圧が１０００Ｖ以下と低い為、複数のネオン管１を近間隔でネオン間支持器４に固定することが出来る。
ル．ネオン支持器４は、金属材料で構成されネオン管を取付器具で固定する。


【手続補正４】
【補正対象書類名】明細書
【補正対象項目名】図面の簡単な説明
【補正方法】変更
【補正の内容】
【図面の簡単な説明】
【図１】本考案のネオン管ユニットの実施例を示す構成図である。
【図２】本ネオン管ユニットの一実施例を示す平面図
【図３】本ネオン管ユニットの一実施例を示す正面図
【符号の説明】
１　ネオン管
２　ネオン変圧器
３　ネオン点減調光器
４　ネオン管支持器


【手続補正５】
【補正対象書類名】図面
【補正対象項目名】図２
【補正方法】変更
【補正の内容】
【図２】
0003097953.tif 000005
【手続補正６】
【補正対象書類名】図面
【補正対象項目名】図３
【補正方法】変更
【補正の内容】
【図３】
0003097953.tif 000006